(57)【要約】  本発明は、ガス絶縁式高電圧スイッチギアに係り、この高電圧スイッチギアは、三相コンダクタ（Ｌ１，Ｌ２，Ｌ３）を備えた少なくとも一つのバスバーを有し、ここで、各相コンダクタ（Ｌ１，Ｌ２，Ｌ３）は、それぞれ設けられたバスバー部分（１１，２１，３１）のインプット側に接続されている。前記相コンダクタ（Ｌ１，Ｌ２，Ｌ３）及び前記バスバー部分（１１，２１，３１）は、三つの単相パワー・スイッチ（１２，２２，３２）を備えた三相バスバー・モジュール（４０，４１）の中に配置され、各パワー・スイッチは、別個のパワー・スイッチ・ハウジング（１３，２３，３３）の中に配置され、そして、各バスバー部分（１１，２１，３１）は、そこからのアウトプット側で、それぞれ設けられたパワー・スイッチ（１２，２２，３２）に接続されている。
2008524974.tif 000002
【特許請求の範囲】
【請求項１】
ガス絶縁式高電圧スイッチギア・アセンブリであって、
三相コンダクタ（Ｌ１，Ｌ２，Ｌ３）を有する少なくとも一つのバスバーを有し、各相コンダクタ（Ｌ１，Ｌ２，Ｌ３）は、それに対応付けられたバスバー・アイソレータ（１１，２１，３１）のインプット側に接続され、前記相コンダクタ（Ｌ１，Ｌ２，Ｌ３）及び前記バスバー・アイソレータ（１１，２１，３１）は、三相のバスバー・モジュール（４０，４１）の中に配置され、
且つ、三つの単相サーキット・ブレーカ（１２，２２，３２）を有し、それらのサーキット・ブレーカは、別個のサーキット・ブレーカ・ハウジング（１３，２３，３３）の中にそれぞれ配置され、
各バスバー・アイソレータ（１１，２１，３１）は、アウトプット側で、それに対応付けられた一つのサーキット・ブレーカ（１２，２２，３２）にそれぞれ接続されている、
ことを特徴とするガス絶縁式高電圧スイッチギア・アセンブリ。
【請求項２】
下記特徴を有する請求項１に記載の高電圧スイッチギア・アセンブリ：
前記バスバー・モジュール（４０，４１）の中の前記バスバー・アイソレータ（１１，２１，３１）、及び前記サーキット・ブレーカ（１２，２２，３２）は、バスバー・ブランチに対応付けられている。
【請求項３】
下記特徴を有する請求項１または２に記載の高電圧スイッチギア・アセンブリ：
前記高電圧スイッチギア・アセンブリは、少なくとも一つのスプリッティング・モジュールを有し、
このスプリッティング・モジュールは、少なくとも一つの三相インタフェース（５１，５２，５３，５４）、三つの単相インタフェース(１６，２６，３６，１８，２８，３８）及び三相コンダクタ（Ｌ１，Ｌ２，Ｌ３）を有し、
前記相コンダクタ（Ｌ１，Ｌ２，Ｌ３）の内のそれぞれ一つは、前記少なくとも一つの三相インタフェース（５１，５２，５３，５４）によって、前記単相インタフェース(１６，２６，３６，１８，２８，３８）の内のそれぞれ一つに、ガイドされている。
【請求項４】
下記特徴を有する請求項３に記載の高電圧スイッチギア・アセンブリ：
第一のスプリッティング・モジュールは、スプリッタ・モジュール（４２，４３，４４）の形態であって、前記バスバー・モジュール（４１）と前記サーキット・ブレーカ（１２，２２，３２）の間に挿入されている。
【請求項５】
下記特徴を有する請求項３または４に記載の高電圧スイッチギア・アセンブリ：
第二のスプリッティング・モジュールは、スプリッタ・モジュール（４２，４３，４４）の形態であって、三相送出フィーダ・ユニット（４６）と前記サーキット・ブレーカ（１２，２２，３２）の間に挿入されている。
【請求項６】
下記特徴を有する請求項１から５のいずれか１項に記載の高電圧スイッチギア・アセンブリ：
少なくとも二つの電流トランスフォーマが、各サーキット・ブレーカ（１２，２２，３２）に対応付けられ、
少なくとも一つの電流トランスフォーマ（１７，２７，３７）が、インプット側に配置され、
少なくとも一つの電流トランスフォーマ（１９，２９，３９）が、それぞれのサーキット・ブレーカ（１２，２２，３２）のアウトプット側に配置されている。
【請求項７】
ガス絶縁式高電圧スイッチギア・アセンブリのためのバスバー・モジュール（４０）であって、
三相コンダクタ（Ｌ１，Ｌ２，Ｌ３）を有し、
三つのバスバー・アイソレータ（１１，２１，３１）を有し、
それらのバスバー・アイソレータは、共通のハウジングの中に配置され、
各相コンダクタ（Ｌ１，Ｌ２，Ｌ３）は、それに対応付けられたバスバー・アイソレータ（１１，２１，３１）のインプット側に接続された、
バスバー・モジュールにおいて、
単相インタフェースが、アウトプット側で、各バスバー・アイソレータ（１１，２１，３１）に対応付けられていること、を特徴とするバスバー・モジュール。
【請求項８】
下記特徴を有する請求項７に記載のバスバー・モジュール（４０）：
前記相コンダクタ（Ｌ１，Ｌ２，Ｌ３）は、二つの更なるバスバー・モジュール（４０，４１）の相コンダクタ（Ｌ１，Ｌ２，Ｌ３）に接続されることが可能である。
【請求項９】
ガス絶縁式高電圧スイッチギア・アセンブリのためのスプリッタ・モジュール（４２，４３，４４）であって、
少なくとも一つの三相インタフェース（５１，５２，５３，５４）及び三つの単相インタフェース(１６，２６，３６，１８，２８，３８）を有し、
三相コンダクタ（Ｌ１，Ｌ２，Ｌ３）を有し、
前記相コンダクタ（Ｌ１，Ｌ２，Ｌ３）の内のそれぞれ一つは、前記少なくとも一つの三相インタフェース（５１，５２，５３，５４）から、前記単相インタフェース(１６，２６，３６，１８，２８，３８）の内のそれぞれ一つへ、ガイドされていること、を特徴とするスプリッタ・モジュール。
【請求項１０】
下記特徴を有する請求項９に記載のスプリッタ・モジュール（４２，４３，４４）：
スイチング・デバイスが、前記スプリッタ・モジュール（４２，４３，４４）のハウジングの内側に設けられている。
【請求項１１】
下記特徴を有する請求項９または１０に記載のスプリッタ・モジュール（４２，４３，４４）：
少なくとも一つの電流トランスフォーマ（１７，２７，３７,１９，２９，３９）が、前記スプリッタ・モジュール（４２，４３，４４）のハウジングの内側で、各相コンダクタ（Ｌ１，Ｌ２，Ｌ３）に対応付けられている。
【請求項１２】
下記特徴を有する請求項１１に記載のスプリッタ・モジュール（４２，４３，４４）：
前記電流トランスフォーマ（１７，２７，３７，１９，２９，３９）の内の少なくとも一つが、各相コンダクタ（Ｌ１，Ｌ２，Ｌ３）のためのその単相インタフェース(１６，２６，３６，１８，２８，３８）の近傍に配置されている。
【請求項１３】
下記特徴を有する請求項９から１２のいずれか１項に記載のスプリッタ・モジュール（４２，４４）：
前記スプリッタ・モジュール（４２，４４）は、正確に一つの三相インタフェース（５１，５２）を有している。
【発明の詳細な説明】
【技術分野】
【０００１】
本発明は、ガス絶縁式の高電圧スイッチギア・アセンブリに係る。本発明は更に、本発明に基づくガス絶縁式の高電圧スイッチギア・アセンブリのためのモジュールに係る。
【背景技術】
【０００２】
約２００ｋＶの定格電圧を有するガス絶縁式の高電圧スイッチギア・アセンブリは、単相の密閉式システムとして一般的にデザインされることが、一般的に知られている。この場合、例えば、サーキット・ブレーカ、アイソレータ及び接地スイッチなどのスイチング・デバイス、及び、例えば、架空電線接続などの更なるコンポーネントは、単相としてデザインされ、別個のハウジングの中に配置される。
【０００３】
また、バスバーの三相コンダクタは、別個の、一般的に管状のハウジングの中に配置される。しかしながら、このデザインは、比較的大きなスペースが必要になることになる。
【発明の開示】
【発明が解決しようとする課題】
【０００４】
本発明の目的は、必要とされるスペースが少ない高電圧スイッチギア・アセンブリを規定することにある。
【課題を解決するための手段】
【０００５】
この目的は、本発明に基づき、請求項１に記載された特徴を有する高電圧スイッチギア・アセンブリにより実現される。
【０００６】
本発明に基づくガス絶縁式高電圧スイッチギア・アセンブリは、三相コンダクタを有する少なくとも一つのバスバーを有し、各相コンダクタは、それに対応付けられたバスバー・アイソレータのインプット側に接続されている。この場合、前記相コンダクタ及び前記バスバー・アイソレータは、共通の三相のバスバー・モジュールの中に配置される。本発明に基づく高電圧スイッチギア・アセンブリは、更に、三つの単相サーキット・ブレーカを有し、それらは、別個のサーキット・ブレーカ・ハウジングの中にそれぞれ配置されている。各バスバー・アイソレータは、この場合、アウトプット側で、それに対応付けられた一つのサーキット・ブレーカにそれぞれ接続される。
【０００７】
バスバーの三相コンダクタ及びそれに対応付けられたバスバー・アイソレータが共通のハウジングの中に配置されると言うこの構成のために、高電圧スイッチギア・アセンブリで必要とされるスペースが、従来の高電圧スイッチギア・アセンブリと比較して、好ましくも減少する。
【０００８】
上記の目的はまた、請求項７に記載された特徴を有するバスバー・モジュールによっても実現される。
【０００９】
従って、本発明に基づくバスバー・モジュールにおいては、バスバーの三相コンダクタ及び三つのバスバー・アイソレータが設けられ、各相コンダクタは、それに対応付けられたバスバー・アイソレータのインプット側に接続されており、当該バスバー・モジュールは、三つの単相インタフェースを有し、それらは、バスバー・アイソレータにそれぞれ対応付けられている。
【００１０】
そのようなバスバー・モジュールは、三つのシングル・ポール・サーキット・ブレーカの、直接のそれ故に比較的シンプルな接続を可能にする。更なるモジュールを挿入する必要がない。高電圧スイッチギア・アセンブリのデザインがシンプルになり、その実施形態において、特にスペースの節約に効果がある。
【００１１】
上記の目的はまた、請求項９に記載された特徴を有するスプリッタ・モジュールによっても実現される。
【００１２】
本発明に基づくスプリッタ・モジュールは、少なくとも一つの三相インタフェース及び三つの単相インタフェースを有している。三相コンダクタは、三相インタフェースから、スプリッタ・モジュールの中の単相インタフェースへ、それぞれガイドされる。
【００１３】
そのようなスプリッタ・モジュールは、バスバー・モジュールの、三つの単相サーキット・ブレーカへの、三相インタフェースを用いた接続を可能にする。三相インタフェースを有するバスバー・モジュールは、特に１００ｋＶから２００ｋＶまでの、低い定格電圧を有するスイッチギア・アセンブリのために知られている。好ましいことに、既知のバスバー・モジュールが、スプリッタ・モジュールの助けによって、本発明に基づく高電圧スイッチギア・アセンブリにおいて使用されることが可能である。
【００１４】
更に、そのようなスプリッタ・モジュールは、三つの単相サーキット・ブレーカが三相送出フィーダ・ユニットに接続されことを可能にする。
【００１５】
本発明の更なる好ましい形態は、従属請求項の中で与えられる。
【発明を実施するための最良の形態】
【００１６】
本発明、好ましい形態、及び本発明の改良、及び更なる利点は、以下において、本発明の例示的な実施形態が示された図面を参照しながら、より詳細に説明され記述される。
【００１７】
図１は、本発明に基づく三相スイッチギア・アセンブリの第一の三相送出フィーダ・パネル６０の回路図を示す。前記スイッチギア・アセンブリは、約２００ｋＶから２５０ｋＶまでの定格電圧に対してデザインされている。しかしながら、より低い定格電圧での使用、例えば１００ｋＶから２００ｋＶまでの電圧での使用、あるいは、より高い定格電圧での使用、例えば２５０ｋＶから４００ｋＶまでの電圧での使用もまた、本発明のコンセプトの範囲内にある。
【００１８】
ここに描かれたスイッチギア・アセンブリは、金属密閉型のガス絶縁式高電圧スイッチギア・アセンブリの形態である。六フッ化炭素（ＳＦ６）が、絶縁ガスとして使用される。その代わりに、窒素（Ｎ２）または二酸化炭素（Ｃ０２）が、絶縁ガスとして使用されることも可能である。
【００１９】
このスイッチギア・アセンブリは、三相コンダクタＬ１，Ｌ２，Ｌ３を有するバスバーを有している。三相コンダクタＬ１，Ｌ２，Ｌ３は、第一のバスバー・モジュール４０の中で、第一の送出フィーダ・パネル６０の領域の中へガイドされ、それから更に、隣接するパネルのバスバー・モジュール（ここには図示されていない）へガイドされる。
【００２０】
第一のバスバー・モジュール４０のハウジングは、円筒形であり、バスバーの相コンダクタＬ１，Ｌ２，Ｌ３は、第一のバスバー・モジュール４０のハウジングの中心軸に対して平行にガイドされている。
【００２１】
第一のバスバー・モジュール４０は、サーキット・ブレーカ・ハウジングまたは他のモジュールを接続するための、三つのフランジ・コネクタ１１８，１２８，１３８を有している。これらのフランジ・コネクタは、径方向に突出するように且つ表面のラインに沿って互いに隣接するように、第一のバスバー・モジュール４０の円筒形のハウジングの外側に配置されている。
【００２２】
更に、第一のバスバー・モジュール４０は、一つの更なるバスバー・モジュールまたは他の要素（例えば、覆いキャップなど）を、その円筒形ハウジングの両端でそれぞれ接続するために、一つのフランジ・コネクタ（ここには図示されていない）を、それぞれ有している。
【００２３】
第一のバスバー・アイソレータ１１は、第一の相コンダクタＬ１に対応付けられていて、インプット側で第一の相コンダクタＬ１に接続されている。バスバー・アイソレータ１１が、この場合には、同様に、第一のバスバー・モジュール４０の中に配置されている。それに対応して、第二の相コンダクタＬ２は、第二のバスバー・アイソレータ２１に接続され、第三の相コンダクタＬ３は、第三のバスバー・アイソレータ３１に接続されている。
【００２４】
更に、それぞれにおいて、一つの接地スイッチ（ここには図示されていない）が各バスバー・アイソレータ１１，２１，３１に対応付けられ、それぞれのバスバー・アイソレータ１１，２１，３１のアウトプットに接続されている。バスバー・アイソレータ１１，２１，３１及び対応付けられた接地スイッチは、この場合、別個のスイチング・デバイスの形態であること、または複合式の断路兼接地スイッチの形態であることも可能である。バスバー・アイソレータ１１，２１，３１は、この場合、特にスライディング・コンタクト・アイソレータの形態であるが、回転アイソレータとしての形態もまた考えられる。
【００２５】
第一のサーキット・ブレーカ１２は、第一のバスバー・アイソレータ１１に対応付けられ、前記第一のバスバー・アイソレータは、アウトプット側で前記第一のサーキット・ブレーカに接続される。第一のサーキット・ブレーカ１２は、この場合、別個の、第一のサーキット・ブレーカ・ハウジング１３の中に配置され、このハウジングは、第一のバスバー・モジュール４０の第一のフランジ・コネクタ１１８に取り付けられる。
【００２６】
それに対応して、第二のサーキット・ブレーカ２２は、第二のバスバー・アイソレータ２１に対応付けられている。この場合、第二のサーキット・ブレーカ２２は、別個の第二のサーキット・ブレーカ・ハウジング２３の中に配置され、このハウジングは、第一のバスバー・モジュール４０の第二のフランジ・コネクタ１２８に固定されている。第三のサーキット・ブレーカ３２は、第三のバスバー・アイソレータ３１に対応付けられている。第三のサーキット・ブレーカ３２は、別個の第三のサーキット・ブレーカ・ハウジング３３の中に配置され、このハウジングは、第一のバスバー・モジュール４０の第三のフランジ・コネクタ１３８に固定されている。
【００２７】
バスバー・アイソレータ１１，２１，３１とサーキット・ブレーカ１２，２２，３２の間の接続コンダクタは、この場合、それぞれ、第一のバスバー・モジュール４０の三つのフランジ・コネクタの内の一つを通って、別個にそれぞれガイドされる。
【００２８】
それに加えて、それぞれ一つの中間ピースが、サーキット・ブレーカ・ハウジング１３，２３，３３と第一のバスバー・モジュール４０の三つのフランジ・コネクタ１１８，１２８．１３８の間に、挿入されることが可能である。そのような中間ピースは、例えば、ブランチ・ピースの形態であって、それ故に、二つまたはそれ以上のバスバーの接続を可能にする。このようにして、サーキット・ブレーカが、複数のバスバーに比較的容易に接続されることが可能である。
【００２９】
第一の送出フィーダ・ハウジング１４は、直列に接続された複数のセグメント（ここには図示されていない）に分割されていて、第一のサーキット・ブレーカ・ハウジング１３に隣接している。この場合、例えば、送出フィーダ・アイソレータや送出フィーダ接地スイッチなどの、更なるコンポーネント（ここには図示されていない）が、第一の送出フィーダ・ハウジング１４のセグメントの中に配置される。第一の送出フィーダ・ハウジング１４は、第一のケーブル接続ポイント１５を有し、この接続ポイントに高電圧ケーブルが接続されることが可能である。
【００３０】
それに対応して、第二のサーキット・ブレーカ・ハウジング２３は、第二の送出フィーダ・ハウジング２４に接続され、このハウジングは、第二のケーブル接続ポイント２５を有し、第三のサーキット・ブレーカ・ハウジング３３は、第三のケーブル接続ポイント３５を備えた第三の送出フィーダ・ハウジング３４に接続されている。
【００３１】
電圧トランスフォーマ（ここには図示されていない）が送出フィーダ・ハウジング１４，２４，３４の上に配置され、これらの電圧トランスフォーマは、対応する相コンダクタＬ１，Ｌ２，Ｌ３に接続され、それらの対地電圧を測定する。
【００３２】
上記のケーブル接続ポイント１５，２５，３５の代わりに、架空電線のケーブルへの接続のための屋外ブッシングもまた、容易に設けられることが可能である。トランスフォーマを接続するための接続要素もまた、考えられ、そして、本発明のコンセプトの範囲内である。
【００３３】
図２は、本発明に基づく三相スイッチギア・アセンブリの第二の三相送出フィーダ・パネル７０の回路図を示している。以下のテキストにおいて、図１におけるものと同一の参照符号が同じコンポーネントに対して使用されている。図１における場合と同様に、バスバーの三相コンダクタＬ１，Ｌ２，Ｌ３が、第二の、円筒形のバスバー・モジュール４１の中を、その中心軸に対して平行に伸びている。バスバー・アイソレータ１１，２１，３１が、相コンダクタＬ１，Ｌ２，Ｌ３に対応付けられており、これらのバスバー・アイソレータは、第二のバスバー・モジュール４１のハウジングの中に配置されている。
【００３４】
第二のバスバー・モジュール４１は、径方向に突出するフランジ・コネクタを有し、そのフランジ・コネクタは、前記第二のバスバー・モジュールのハウジングの外側に配置され、且つそのフランジ・コネクタに第一のスプリッタ・モジュール４２が固定されている。
【００３５】
更に、第二のバスバー・モジュール４１は、それぞれ、一つの更なるバスバー・モジュールまたは他の要素（例えば覆いキャップなど）を、その円筒形ハウジングの両端で接続するための、一つのフランジ・コネクタ（ここには図示されていない）をそれぞれ有している。
【００３６】
第一のスプリッタ・モジュール４２は、第一の三相インタフェース５１を有し、それによって、バスバー・アイソレータ１１，２１，３１のアウトプット側に接続される。第一のスプリッタ・モジュール４２のこの第一の三相インタフェース５１はまた、フランジ・コネクタを有し、それにより、第一のスプリッタ・モジュール４２は、例えばネジを用いて、第二のバスバー・モジュール４１のフランジ・コネクタに接続されている。
【００３７】
第一のスプリッタ・モジュール４２はまた、三つの単相インタフェース１６，２６，３６を有し、それらのインタフェースに、それぞれ、一つの単相サーキット・ブレーカ１２，２２，３２が接続される。第一のスプリッタ・モジュール４１のハウジングとサーキット・ブレーカ・ハウジング１３，２３，３３の間の接続は、フランジ・コネクタにより作り出される。
【００３８】
スイチング・デバイスの全て、例えば、サーキット・ブレーカ１２，２２，３２、バスバー・アイソレータ１１，２１，３１、または接地スイッチなどは、第一のスプリッタ・モジュール４２のハウジングの外側に配置される。リジッドな電気的コンダクタのみが、スプリッタ・モジュール４２の内側で、単相インタフェース１６，２６，３６から第一の三相インタフェース５１まで、それぞれガイドされる。
【００３９】
送出フィーダ側で、第三のスプリッタ・モジュール４４は、サーキット・ブレーカ・ハウジング１３，２３，３３に接続されている。第三のスプリッタ・モジュール４４は、この目的のために、三つの単相インタフェース１８，２８，３８を有しており、それによって、サーキット・ブレーカ・ハウジング１３，２３，３３の内の一つに、それぞれ接続されている。第三のスプリッタ・モジュール４４は、更に、第二の三相インタフェース５２を有しており、この三相インタフェースに三相送出フィーダ・ユニット４６が接続されている。
【００４０】
送出フィーダ・ユニット４６は、直列に接続された複数のセグメント（ここには図示されていない）に分割され、それらのセグメントの中に、例えば、三つの送出フィーダ・アイソレータ、三つの送出フィーダ接地スイッチ、及び三つの高速度接地スイッチなどの、更なるコンポーネント（ここには図示されていない）が配置される。三相電圧トランスフォーマ（ここには図示されていない）は、コンダクタの互いに対する電圧、および／または、コンダクタのアースに対する電圧を測定するものであって、送出フィーダ・ユニット４６に固定される。
【００４１】
送出フィーダ・ユニット４６は、送出フィーダ側に高電圧ケーブルを接続するための三つのケーブル接続ポイントを有する三相接続ポイント（ここには示されていない）を、更に有している。同様に、架空電線のケーブルへの接続のための三相の屋外ブッシング、またはトランスフォーマを接続するための三相接続要素もまた、考えることができる。
【００４２】
送出フィーダ側に置かれる三相接続ポイントに代わるものとして、三つの単相接続ポイントもまた、例えば高電圧ケーブルを接続するために、実現可能である。
【００４３】
例えば、サーキット・ブレーカ１２，２２，３２、送出フィーダ・アイソレータ、または送出フィーダ接地スイッチなどの、スイッチング・デバイスは、第三のスプリッタ・モジュール４４のハウジングの外側に配置される。リジッドな電気的コンダクタのみが、第三のスプリッタ・モジュール４４の内側で、単相インタフェース１８，２８，３８から第二の三相インタフェース５２へ、それぞれガイドされる。
【００４４】
図３は、第三の三相インタフェース５３及び第四の三相インタフェース５４を有する第二のスプリッタ・モジュール４３を示している。これらの三相インタフェース５３，５４が、一つのバスバーへの接続のために、それぞれ使用される。第二のスプリッタ・モジュール４３は、この場合、円筒形ハウジングを有し、その中心軸は、この図の平面に対して直角に伸びている。
【００４５】
第三の三相インタフェース５３は、この円筒形ハウジングの外側に向いた側面に取り付けられている。第三の三相インタフェース５３は、三つの電気的相コンダクタＬ１，Ｌ２，Ｌ３に加えて、それを第二のバスバー・モジュール４１（ここに示されていない）を固定するためのフランジ・コネクタを有している。三つの電気的相コンダクタＬ１，Ｌ２，Ｌ３は、第三の三相インタフェース５３のフランジ・コネクタの中を通って、バスバー・モジュールのバスバー・アイソレータに接続されることが可能である。
【００４６】
更に、第四の三相インタフェース５４は、三つの電気的相コンダクタＬ１，Ｌ２，Ｌ３、及びそれをバスバー・モジュール（ここに示されていない）に固定するためのフランジ・コネクタを、同様に有していて、第二のスプリッタ・モジュール４３の円筒形ハウジングの外側に向いた側面に取り付けられている。三つの電気的相コンダクタＬ１，Ｌ２，Ｌ３は、第四の三相インタフェース５４のフランジ・コネクタの中を通って、バスバー・モジュールのバスバー・アイソレータに接続されることが可能である。
【００４７】
更に、第七の単相インタフェース１１６、第八の単相インタフェース、及び第九の単相インタフェースが、第二のスプリッタ・モジュール４３の円筒形ハウジングの外側に向いた側面に配置され、この例では、第三の三相インタフェース５３の１８０度反対側に配置されている。これらの三つの単相インタフェースはそれぞれ、一つのサーキット・ブレーカ・ハウジング（ここに示されていない）をそれぞれ固定するためのフランジ・コネクタを有している。第七の単相インタフェース１１６のみが、ここに示された図面の中に見えている。第八の単相インタフェース及び第七の単相インタフェースは、第七の単相インタフェース１１６の背後に隠されている。
【００４８】
第一の電気的相コンダクタＬ１は、第七の単相インタフェース１１６のフランジ・コネクタの中を通って、単相サーキット・ブレーカに接続されることが可能である。
【００４９】
それに対応して、第二の電気的相コンダクタＬ２は、第八の単相インタフェース（ここでは見えない）のフランジ・コネクタの中を通って、単相サーキット・ブレーカに接続されることが可能である。また、第三の電気的相コンダクタＬ３は、第九の単相インタフェース（ここでは見えない）のフランジ・コネクタの中を通って、単相サーキット・ブレーカに同様に接続されることが可能である。
【００５０】
第七の電流トランスフォーマ１１７は、第二のスプリッタ・モジュール４３のハウジングの中に、第七の単相インタフェース１１６の近傍で、配置され、第一の相コンダクタＬ１を取り囲んでおり、第七の単相インタフェース１１６に対応付けられている。
【００５１】
それに対応して、第八の電流トランスフォーマは、第二のスプリッタ・モジュール４３のハウジングの中に、第八の単相インタフェースの近傍で、配置され、相コンダクタＬ２を取り囲んでおり、第八の単相インタフェースに対応付けられている。第九の電流トランスフォーマは、第二のスプリッタ・モジュール４３のハウジングの中に、第九の単相インタフェースの近傍で、配置され、相コンダクタＬ３を取り囲んでおり、第九の単相インタフェースに対応付けられている。
【００５２】
ここに示された図面において、相コンダクタＬ２の、第八の単相インタフェースの中を通る部分、及び、相コンダクタ１２の、第九の単相インタフェースの中を通る部分は、見えていない。その理由は、それらが、第一の相コンダクタＬ１の背後に隠されているからである。同様に、第八の電流トランスフォーマ及び第九の電流トランスフォーマは、第七の電流トランスフォーマ１１７の背後に隠されている。
【００５３】
この例では、第二のスプリッタ・モジュール４３は、二つの三相インタフェース５３，５４を有している。しかしながら、一つのスプリッタ・モジュールが、たった一つ、または二つ以上の（例えば、三つの三相インタフェース）を有することもまた、考えることができる。
【００５４】
図４は送出フィーダ・ユニットへの接続のための第三のスプリッタ・モジュール４４を示している。第三のスプリッタ・モジュール４４は第二の三相インタフェース５２を有し、この三相インタフェースは、三つの−電気的相コンダクタＬ１，Ｌ２，Ｌ３に加えて、送出フィーダ・ユニット（ここに示されていない）を固定するためのフランジ・コネクタを有している。
【００５５】
更に、第三のスプリッタ・モジュール４４は、第四の単相インタフェース１８、第五の単相インタフェース２８、及び第六の単相インタフェース３８を有している。三つの単相インタフェース１８，２８，３８はそれぞれ、一つのサーキット・ブレーカ・ハウジング（ここに示されていない）をそれぞれを固定するためのフランジ・コネクタを有している。
【００５６】
第一の相コンダクタＬ１のコンダクタ部分は、第二の三相インタフェース５２のフランジ・コネクタの中を通り、第三のスプリッタ・モジュール４４のハウジングの内側を通って、第四の単相インタフェース１８へガイドされ、同様にその中を通る。
【００５７】
第二の相コンダクタＬ２のコンダクタ部分は、第二の三相インタフェース５２のフランジ・コネクタの中を通り、第三のスプリッタ・モジュール４４のハウジングの内側を通って、第五の単相インタフェース２８へガイドされ、同様にその中を通る。それに対応して、第三の相コンダクタＬ３のコンダクタ部分は、第二の三相インタフェース５２のフランジ・コネクタの中を通り、第三のスプリッタ・モジュール４４のハウジングの内側を通って、第六の単相インタフェース３８にガイドされ、同様にその中を通る。
【００５８】
第四の電流トランスフォーマ１９は、第四の単相インタフェース１８に対応付けられており、第三のスプリッタ・モジュール４４の中に、第四の単相インタフェース１８の近傍で、配置され、第一の相コンダクタＬ１を取り囲んでいる。
【００５９】
それに対応して、第五の電流トランスフォーマ２９は、相コンダクタＬ２を取り囲んでおり、第五の単相インタフェース２８に対応付けられている。また、第六の電流トランスフォーマ３９は、相コンダクタＬ３を取り囲んでおり、第六の単相インタフェース３８に対応付けられている。
【００６０】
ここに示された例において第二の三相インタフェース５２は、第三のスプリッタ・モジュール４４のハウジングの、単相インタフェース１８，２８，３８に対して１８０度反対側に当たる側面に配置されている。他の配置もまた、考えることができる。例えば、三相インタフェース５２が、その中心軸が単相インタフェース１８，２８，３８の中心軸に対して直交するように、配置されることも可能である。
【００６１】
図５は、本発明に基づく三相スイッチギア・アセンブリ第三の三相送出フィーダ・パネル８０の回路図を示している。第三の送出フィーダ・パネル８０は、この場合、第二のバスバー・モジュール４１を有している。径方向に突出するフランジ・コネクタは、それに対して第一のスプリッタ・モジュール４２がその第一の三相インタフェース５１のフランジ・コネクタによって固定されており、このフランジ・コネクタは、第二のバスバー・モジュール４１の円筒形ハウジングの外側に取り付けられている。
【００６２】
それぞれのケースにおいて、一つの単相サーキット・ブレーカ１２，２２，３２は、第一のスプリッタ・モジュール４２の単相インタフェース１６，２６，３６に接続される。この場合、一つの単相送出フィーダ・ハウジング１４，２４，３４は、それぞれ、単相サーキット・ブレーカ１２，２２，３２のサーキット・ブレーカ・ハウジング１３，２３，３３に接続される。
【図面の簡単な説明】
【００６３】
【図１】図１は、本発明に基づくスイッチギア・アセンブリの第一の送出フィーダ・パネルの回路図を示す。
【図２】図２は、本発明に基づくスイッチギア・アセンブリの第二の送出フィーダ・パネルの回路図を示す。
【図３】図３は、二つのバスバーへの接続のためのスプリッタ・モジュールを示す。
【図４】図４は、送出フィーダ・ユニットへの接続のためのスプリッタ・モジュールを示す。
【図５】図５は、本発明に基づくスイッチギア・アセンブリの第三の送出フィーダ・パネルの回路図を示す。
【符号の説明】
【００６４】
Ｌ１…第一の相コンダクタ、Ｌ２…第二の相コンダクタ、Ｌ３…第三の相コンダクタ、１１…第一のバスバー・アイソレータ、１２…第一のサーキット・ブレーカ、１３…第一のサーキット・ブレーカ・ハウジング、１４…第一の送出フィーダ・ハウジング、１５…第一のケーブル接続ポイント、１６…第一の単相インタフェース、１７…第一の電流トランスフォーマ、１８…第四の単相インタフェース、１９…第四の電流トランスフォーマ、１１６…第七の単相インタフェース、１１７…第七の電流トランスフォーマ、１１８…第一のフランジ・コネクタ；
２１…第二のバスバー・アイソレータ、２２…第二のサーキット・ブレーカ、２３…第二のサーキット・ブレーカ・ハウジング、２４…第二の送出フィーダ・ハウジング、２５…第二のケーブル接続ポイント、２６…第二の単相インタフェース、２７…第二の電流トランスフォーマ、２８…第五の単相インタフェース、２９…第五の電流トランスフォーマ、１２８…第二のフランジ・コネクタ；
３１…第三のバスバー・アイソレータ、３２…第三のサーキット・ブレーカ、３３…第三のサーキット・ブレーカ・ハウジング、３４…第三の送出フィーダ・ハウジング、３５…第三のケーブル接続ポイント、３６…第三の単相インタフェース、３７…第三の電流トランスフォーマ、３８…第六の単相インタフェース、３９…第六の電流トランスフォーマ、１３８…第三のフランジ・コネクタ；
４０…第一のバスバー・モジュール、４１…第二のバスバー・モジュール、４２…第一のスプリッタ・モジュール、４３…第二のスプリッタ・モジュール、４４…第三のスプリッタ・モジュール、４６…送出フィーダ・ユニット；
５１…第一の三相インタフェース、５２…第二の三相インタフェース、５３…第三の三相インタフェース、５４…第四の三相インタフェース、
６０…第一の送出フィーダ・パネル、７０…第二の送出フィーダ・パネル、８０…第三の送出フィーダ・パネル。
【図１】
2008524974.tif 000003
【図２】
2008524974.tif 000004
【図３】
2008524974.tif 000005
【図４】
2008524974.tif 000006
【図５】
2008524974.tif 000007
【国際調査報告】
2008524974.tif 000008
2008524974.tif 000009
2008524974.tif 000010
2008524974.tif 000011
2008524974.tif 000012
2008524974.tif 000013
2008524974.tif 000014
2008524974.tif 000015
2008524974.tif 000016
2008524974.tif 000017